【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
構造材に、該構造材を貫通したネジ穴を設け、該ネジ穴に表面から操作可能とした、１または複数の、構造材の厚さより十分長い長さのボルトを裏面から螺合された構造材。
【請求項２】
ボルトが、ボルト軸部先端にプラス、マイナス、四角または６角の穴を設け、ボルト先端側からねじ込み操作を可能としたボルトである請求項１に記載の構造材。
【請求項３】
構造材が中空材である請求項１または２に記載の構造材。
【請求項４】
構造材が、ビル、橋梁などの建築または建設に用いるものである請求項１ないし３のいずれかに記載の構造材。
【請求項５】
材質として、アルミニウム合金からなるものである請求項１ないし４のいずれかに記載の構造材。
【請求項６】
材質として、５０００番系のアルミニウム合金からなるものである請求項５に記載の構造材。
【請求項７】
材質として、鋼材からなるものである請求項１ないし４のいずれかに記載の構造材。
【請求項８】
一つのチャンネル及び他のチャンネルの所定の位置に、所定の数のネジ穴を設け、これに表面（ボルトの先端部）から操作可能な手段を有するボルトが裏面から螺合されており、これらのチャンネルを重ねて接合した請求項１〜７のいずれかに記載の構造材。
【請求項９】
一つのチャンネル及び他のチャンネルの所定の位置に、所定の数のネジ穴を設け、これに表面（ボルトの先端部）から操作可能な手段を有するボルトが裏面から螺合されており、これらのチャンネルを重ねて、ＦＳＷ（摩擦撹拌溶接）によって接合した請求項８に記載の構造材。
【請求項１０】
一つのチャンネル及び他のチャンネルの所定の位置に、所定の数のネジ穴を設け、これに表面（ボルトの先端部）から操作可能な手段を有するボルトが裏面から螺合されており、これらのチャンネルを重ねて、 ＭＩＧ（ｍｅｔａｌ  ｉｎｅｒｔ  ｇａｓ  ａｒｃ）またはＴＩＧ（ｔｕｎｇｓｔｅｎ  ｉｎｅｒｔ  ｇａｓ  ａｒｃ）によって接合した請求項８に記載の構造材。
【請求項１１】
それぞれのチャンネルに貫通した複数のネジ穴を設け、該ネジ穴にチャンネルの表面から操作可能とした１または複数の、チャンネルの厚さより十分長い長さのボルトが裏面から表面に突出しており、これらチャンネルまたはさらに補強プレートを重ねてＦＳＷ（摩擦撹拌溶接）によって接合した構造材を用いることを特徴とする構造材の接続方法。
【請求項１２】
それぞれのチャンネルに貫通した複数のネジ穴を設け、該ネジ穴にチャンネルの表面から操作可能とした１または複数の、チャンネルの厚さより十分長い長さのボルトが裏面から表面に突出しており、これらチャンネルまたはさらに補強プレートを重ねて ＭＩＧ（ｍｅｔａｌ  ｉｎｅｒｔ  ｇａｓ  ａｒｃ）またはＴＩＧ（ｔｕｎｇｓｔｅｎ  ｉｎｅｒｔ  ｇａｓ  ａｒｃ）によって接合した構造材を用いることを特徴とする構造材の接続方法。
【請求項１３】
構造材を貫通したネジ穴を設け、該ネジ穴に構造材の表面から操作可能とした１または複数の、構造材の厚さより十分長い長さのボルトが裏面から表面に突出しており、基礎の埋め込みボルトまたは他の構造材のボルト及び前記ネジ穴に該当するところにボルト通過孔を設けた補強プレートを当てボルトを通し、該ボルトをナットで締結することを特徴とする構造材の接続方法。
【請求項１４】
角型パイプ状の構造材が、５０００番系のアルミニウム合金である請求項１１ないし１３のいずれかに記載の構造材の接続方法。
【手続補正２】
【補正対象書類名】明細書
【補正対象項目名】０００５
【補正方法】変更
【補正の内容】
【０００５】
【課題を解決するための手段】
本発明は、
［１］  構造材に、該構造材を貫通したネジ穴を設け、該ネジ穴に表面から操作可能とした、１または複数の、構造材の厚さより十分長い長さのボルトを裏面から螺合された構造材、
［２］  ボルトが、ボルト軸部先端にプラス、マイナス、四角または６角の穴を設け、ボルト先端側からねじ込み操作を可能としたボルトである上記［１］に記載の構造材、
［３］  構造材が中空材である上記［１］または［２］に記載の構造材、
［４］  構造材が、ビル、橋梁などの建築または建設に用いるものである上記［１］ないし［３］のいずれかに記載の構造材、
［５］  材質として、アルミニウム合金からなるものである上記［１］ないし［４］のいずれかに記載の構造材、
［６］  材質として、５０００番系のアルミニウム合金からなるものである上記［５］に記載の構造材、
［７］  材質として、鋼材からなるものである上記［１］ないし［４］のいずれかに記載の構造材、
［８］  一つのチャンネル及び他のチャンネルの所定の位置に、所定の数のネジ穴を設け、これに表面（ボルトの先端部）から操作可能な手段を有するボルトが裏面から螺合されており、これらのチャンネルを重ねて接合した上記［１］ないし［７］のいずれかに記載の構造材、
［９］   一つのチャンネル及び他のチャンネルの所定の位置に、所定の数のネジ穴を設け、これに表面（ボルトの先端部）から操作可能な手段を有するボルトが裏面から螺合されており、これらのチャンネルを重ねて、ＦＳＷ（摩擦撹拌溶接）によって接合した上記［８］に記載の構造材、
［１０］  一つのチャンネル及び他のチャンネルの所定の位置に、所定の数のネジ穴を設け、これに表面（ボルトの先端部）から操作可能な手段を有するボルトが裏面から螺合されており、これらのチャンネルを重ねて、 ＭＩＧ（ｍｅｔａｌ  ｉｎｅｒｔ  ｇａｓ  ａｒｃ）またはＴＩＧ（ｔｕｎｇｓｔｅｎ  ｉｎｅｒｔ  ｇａｓ  ａｒｃ）によって接合した上記［８］に記載の構造材、
【手続補正３】
【補正対象書類名】明細書
【補正対象項目名】０００６
【補正方法】変更
【補正の内容】
【０００６】
［１１］  それぞれのチャンネルに貫通した複数のネジ穴を設け、該ネジ穴にチャンネルの表面から操作可能とした１または複数の、チャンネルの厚さより十分長い長さのボルトが裏面から表面に突出しており、これらチャンネルまたはさらに補強プレートを重ねてＦＳＷ（摩擦撹拌溶接）によって接合した構造材を用いることを特徴とする構造材の接続方法、
［１２］  それぞれのチャンネルに貫通した複数のネジ穴を設け、該ネジ穴にチャンネルの表面から操作可能とした１または複数の、チャンネルの厚さより十分長い長さのボルトが裏面から表面に突出しており、これらチャンネルまたはさらに補強プレートを重ねて ＭＩＧ（ｍｅｔａｌ  ｉｎｅｒｔ  ｇａｓ  ａｒｃ）またはＴＩＧ（ｔｕｎｇｓｔｅｎ  ｉｎｅｒｔ  ｇａｓ  ａｒｃ）によって接合した構造材を用いることを特徴とする構造材の接続方法、
［１３］  構造材を貫通したネジ穴を設け、該ネジ穴に構造材の表面から操作可能とした１または複数の、構造材の厚さより十分長い長さのボルトが裏面から表面に突出しており、基礎の埋め込みボルトまたは他の構造材のボルト及び前記ネジ穴に該当するところにボルト通過孔を設けた補強プレートを当てボルトを通し、該ボルトをナットで締結することを特徴とする構造材の接続方法、及び
［１４］  角型パイプ状の構造材が、５０００番系のアルミニウム合金である上記［１１］ないし［１３］のいずれかに記載の構造材の接続方法、を開発することにより上記の目的を達成した。